(57)【特許請求の範囲】
【請求項１】
相対的に演色性が良好で短寿命の白色ＬＥＤおよび相対的に演色性が悪く長寿命の黄色ＬＥＤを有するランプユニットと、人を検知するセンサー装置と、前記ランプユニットの前記黄色ＬＥＤの点灯状態で前記センサー装置の人検知信号を受けて前記白色ＬＥＤを点灯するコントロールユニットとを備え、前記ランプユニットの電源が蓄電池であり、前記蓄電池に蓄える充電用電源が太陽電池である照明装置。
【請求項２】
相対的に演色性が良好で短寿命の白色ＬＥＤおよび相対的に演色性が悪く長寿命の黄色ＬＥＤを有するランプユニットと、前記ランプユニットの前記黄色ＬＥＤの点灯状態で所定の時間のみ前記白色ＬＥＤを点灯させるタイマー装置を内蔵したコントロールユニットとを備え、前記ランプユニットの電源が蓄電池であり、前記蓄電池に蓄える充電用電源が太陽電池である照明装置。
【請求項３】
相対的に演色性が良好で短寿命の白色ＬＥＤおよび相対的に演色性が悪く長寿命の黄色ＬＥＤを有するランプユニットと、前記ランプユニットの前記黄色ＬＥＤの点灯状態で前記白色ＬＥＤを調光制御にて点灯させるコントロールユニットとを備え、前記ランプユニットの電源が蓄電池であり、前記蓄電池に蓄える充電用電源が太陽電池である照明装置。
【発明の詳細な説明】
【０００１】
【発明の属する技術分野】
この発明は、相対的に演色性が異なる２つの光源を有する照明装置に関するものである。
【０００２】
【従来の技術】
従来の照明装置としては、例えば光色を変えることにより演出するもの、あるいは混色により演色性改善を図ったものがあった。演色性を改善させる場合、演色性の悪い光源の演色性を上げるために相対的に演色性のよい光源と組み合わせて照明していた。
【０００３】
【発明が解決しようとする課題】
上記のように従来の照明装置は、相対的に演色性が良好でかつ短寿命の第一の光源と、相対的に演色性が悪く長寿命の第二の光源とを備えていたので、光源の寿命に差が生じていた。このため、光源の交換時期がずれ、交換回数も倍になるため、ランプ交換に手間がかかるという問題があった。
【０００４】
したがって、この発明の目的は、ランプ交換の手間を増やすことなく、第一の光源の寿命延長と第二の光源の相対的演色性の向上を図ることができる照明装置を提供することである。
【０００５】
【課題を解決するための手段】
上記課題を解決するためにこの発明の請求項１記載の照明装置は、相対的に演色性が良好で短寿命の白色ＬＥＤおよび相対的に演色性が悪く長寿命の黄色ＬＥＤを有するランプユニットと、人を検知するセンサー装置と、前記ランプユニットの前記黄色ＬＥＤの点灯状態で前記センサー装置の人検知信号を受けて前記白色ＬＥＤを点灯するコントロールユニットとを備え、前記ランプユニットの電源が蓄電池であり、前記蓄電池に蓄える充電用電源が太陽電池である。
【０００６】
このように、黄色ＬＥＤの光源点灯状態で、センサー装置により対象物を検知した時のみ白色ＬＥＤを点灯させるので、対象物である人が近づいた時のみ黄色ＬＥＤおよび白色ＬＥＤがフル点灯となり、それ以外は白色ＬＥＤは消灯している。これにより、白色ＬＥＤの寿命を長くすることができ、演色性も低下することがない。すなわち、相対的に演色性が良好でかつ短寿命の白色ＬＥＤの寿命をセンサー装置により長くすることができるので、白色ＬＥＤの長寿命化が図れる。このため、白色ＬＥＤと黄色ＬＥＤの寿命の差をなくすことができるので、白色ＬＥＤと黄色ＬＥＤを単に混合させる場合に比べてランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。
さらにランプユニットの電源が蓄電池であるため、太陽電池を利用した照明システムが可能となる。しかも蓄電池に蓄える充電用電源が太陽電池であるので、省エネルギーに寄与できる。
【０００７】
請求項２記載の照明装置は、相対的に演色性が良好で短寿命の白色ＬＥＤおよび相対的に演色性が悪く長寿命の黄色ＬＥＤを有するランプユニットと、前記ランプユニットの前記黄色ＬＥＤの点灯状態で所定の時間のみ前記白色ＬＥＤを点灯させるタイマー装置を内蔵したコントロールユニットとを備え、前記ランプユニットの電源が蓄電池であり、前記蓄電池に蓄える充電用電源が太陽電池である。
このように、タイマー装置により人通りの多い時間帯は両ＬＥＤをフル点灯させることができる。また、人の通らない時間帯は白色ＬＥＤが消灯することで、白色ＬＥＤの寿命を長くすることができる。したがって、ランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。さらに太陽電池を利用した照明システムが可能となり、省エネルギーに寄与できる。
【０００８】
請求項３記載の照明装置は、相対的に演色性が良好で短寿命の白色ＬＥＤおよび相対的に演色性が悪く長寿命の黄色ＬＥＤを有するランプユニットと、前記ランプユニットの前記黄色ＬＥＤの点灯状態で前記白色ＬＥＤを調光制御にて点灯させるコントロールユニットとを備え、前記ランプユニットの電源が蓄電池であり、前記蓄電池に蓄える充電用電源が太陽電池である。
このように、黄色ＬＥＤの点灯状態で、白色ＬＥＤのみ調光制御にて点灯させるので、白色ＬＥＤの消費電力が低下し寿命を長くすることができる。この場合、両ＬＥＤは点灯状態であるが、白色ＬＥＤのみデューティー制御するあるいは入力電流を絞ることにより調光することで白色ＬＥＤの長寿命化が図れる。したがって、ランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。さらに太陽電池を利用した照明システムが可能となり、省エネルギーに寄与できる。
【００１３】
【発明の実施の形態】
この発明の第１の実施の形態の照明装置を図１および図２に基づいて説明する。図１はこの発明の第１の実施の形態の照明装置の概念図、図２はこの発明の第１の実施の形態の照明装置のランプユニットの斜視図である。図１および図２において、１はランプユニット、２は第一の光源である白色ＬＥＤ、３は第二の光源である黄色ＬＥＤ、４はコントロールユニット、５はセンサー装置、６は鉛蓄電池、７は太陽電池である。
【００１４】
ランプユニット１には、複数の白色ＬＥＤ２…と複数の黄色ＬＥＤ３…とが設けてある。白色ＬＥＤ２は相対的に演色性が良好でかつ短寿命であり、黄色ＬＥＤ３は相対的に演色性が悪く長寿命である。また、白色ＬＥＤ２の寿命を長くする寿命延長手段が設けてあり、この実施の形態ではセンサー装置５によって構成されている。センサー装置５は、黄色ＬＥＤ３の点灯状態で、対象物である人を検知した時のみ白色ＬＥＤ２を点灯させるものである。この場合、コントロールユニット４に内蔵した制御部５ａと、対象物である人を検知する検知部５ｂとを備えている。また、ランプユニット１、鉛蓄電池６、太陽電池７がコントロールユニット４に接続されている。
【００１５】
上記のようにランプユニット１、太陽電池７、コントロールユニット４、センサー装置５および鉛蓄電池６からなる照明システムの動作について説明する。昼間は太陽電池７から発生する電気をコントロールユニット４を介して鉛蓄電池６に蓄える。夕方になり太陽電池７の出力電圧が低下し、ある値を下回るとコントロールユニット４が検知し、鉛蓄電池６への充電を中止する。同時に黄色ＬＥＤ３のみ点灯させ、人が近づいてセンサー装置の検知部５ｂで感知すると、黄色ＬＥＤ３が点灯した状態で同時に白色ＬＥＤ２も点灯させ、フル点灯状態となる。検知部５ｂで人を感知しなくなると白色ＬＥＤ２が消灯し、黄色ＬＥＤ３の点灯状態にもどる。
【００１６】
再び日の出により太陽電池７からの出力電圧が上昇し、ある値を超えるとＬＥＤ２，３を全て消灯し、鉛蓄電池６への充電を再開する。
【００１７】
以上のようにこの実施の形態によれば、相対的に演色性が良好でかつ短寿命の白色ＬＥＤ２の寿命をセンサー装置５により長くすることができるので、白色ＬＥＤ２の長寿命化が図れる。このため、白色ＬＥＤ２と黄色ＬＥＤ３の寿命の差をなくすことができるので、白色ＬＥＤ２と黄色ＬＥＤ３を単に混合させる場合に比べてランプ交換回数を半分に減らせ、ランプ交換にかかる手間やコストを低減することができる。また、相対的に演色性が悪く長寿命である黄色ＬＥＤ３だけで照明する場合に比べて演色性の改善を図ることができる。
【００１８】
この発明の第２の実施の形態の照明装置を図３に基づいて説明する。図３はこの発明の第２の実施の形態の照明装置の概念図である。ランプユニット１の構成は図２と同様である。また、第１の実施の形態と同様の部材には同一符号を付している。
【００１９】
この実施の形態では、白色ＬＥＤ２の寿命を長くする寿命延長手段が、タイマー装置１０によって構成されている。タイマー装置１０は、黄色ＬＥＤ３の点灯状態で、所定の時間のみ白色ＬＥＤ２を点灯させるものであり、コントロールユニット１１に内蔵されている。その他の構成は、第１の実施の形態と同様である。
【００２０】
次にランプユニット１、太陽電池７、コントロールユニット１１、タイマー装置１０および鉛蓄電池６からなる照明システムの動作について説明する。昼間は太陽電池７から発生する電気をコントロールユニット１１を介して鉛蓄電池６に蓄える。夕方になり太陽電池７の出力電圧が低下し、ある値を下回るとコントロールユニット１１が検知し、鉛蓄電池６への充電を中止する。同時にタイマー装置１０を作動させランプユニット１のＬＥＤ２，３をフル点灯させる。さらに人通りが少なくなる５時間後、白色ＬＥＤ２を消灯させ黄色ＬＥＤ３のみの補助照明モードに切り替え、さらにその５時間後消灯させる。再び日の出により太陽電池７からの出力電圧が上昇し、ある値を超えると再度鉛蓄電池６への充電を開始する。
【００２１】
以上のようにこの実施の形態によれば、タイマー装置１０により人通りの多い時間帯はＬＥＤ２，３をフル点灯させることができる。また、人の通らない時間帯は白色ＬＥＤ２が消灯することで、白色ＬＥＤ２の寿命を長くすることができる。なお、白色ＬＥＤ２を点灯させる５時間としたが何時間でもよい。その他の効果は、第１の実施の形態と同様である。
【００２２】
この発明の第３の実施の形態の照明装置を図４に基づいて説明する。図４はこの発明の第３の実施の形態の照明装置の概念図である。ランプユニット１の構成は図２と同様である。また、第１の実施の形態と同様の部材には同一符号を付している。
【００２３】
この実施の形態では、白色ＬＥＤ２の寿命を長くする寿命延長手段は、黄色ＬＥＤ３の点灯状態で、白色ＬＥＤ２のみ調光制御にて点灯させるように出力を制御する制御回路１５により構成され、コントロールユニット１４に内蔵されている。その他の構成は、第１の実施の形態と同様である。
【００２４】
次にランプユニット１、太陽電池７、コントロールユニット１４および鉛蓄電池６からなる照明システムの動作について説明する。昼間は太陽電池７から発生する電気をコントロールユニット１１を介して鉛蓄電池６に蓄える。夕方になり太陽電池７の出力電圧が低下し、ある値を下回るとコントロールユニット１１が検知し、鉛蓄電池６への充電を中止する。同時にタイマーを作動させランプユニット１のＬＥＤ２，３を点灯させる。その際、白色ＬＥＤ２のみデューティー制御により点灯させる。再び日の出により太陽電池７からの出力電圧が上昇し、ある値を超えると再度鉛蓄電池６への充電を開始する。
【００２５】
以上のようにこの実施の形態によれば、黄色ＬＥＤ３点灯状態で、白色ＬＥＤ２のみ調光制御にて点灯させるので、白色ＬＥＤ２の消費電力が低下し寿命を長くすることができる。この場合、ＬＥＤ２，３は点灯状態であるが、白色ＬＥＤ２のみデューティー制御することで白色ＬＥＤ２の長寿命化が図れる。その他の効果は、第１の実施の形態と同様である。
【００２６】
この発明の第３の実施の形態の変形例の照明装置を図４に基づいて説明する。この第３の実施の形態の変形例の照明装置の概念図は図４と同様であり、ランプユニット１の構成は図２と同様である。
【００２７】
白色ＬＥＤ２の寿命を長くする寿命延長手段は、黄色ＬＥＤ３の点灯状態で、白色ＬＥＤ２のみ調光制御にて点灯させるように出力を制御する制御回路により構成され、コントロールユニット１４に内蔵されている。その他の構成は、第１の実施の形態と同様である。
【００２８】
次にランプユニット１、太陽電池７、コントロールユニット１４および鉛蓄電池６からなる照明システムの動作について説明する。昼間は太陽電池７から発生する電気をコントロールユニット１１を介して鉛蓄電池６に蓄える。夕方になり太陽電池７の出力電圧が低下し、ある値を下回るとコントロールユニット１１が検知し、鉛蓄電池６への充電を中止する。同時にタイマーを作動させランプユニット１のＬＥＤ２，３を点灯させる。その際、白色ＬＥＤ２のみ入力電流を絞ることにより調光させ点灯させる。再び日の出により太陽電池７からの出力電圧が上昇し、ある値を超えると再度鉛蓄電池６への充電を開始する。
【００２９】
以上のようにこの実施の形態によれば、黄色ＬＥＤ３点灯状態で、白色ＬＥＤ２のみ調光制御にて点灯させるので、白色ＬＥＤ２の消費電力が低下し寿命を長くすることができる。この場合、ＬＥＤ２，３は点灯状態であるが、白色ＬＥＤ２のみ入力電流を絞ることで白色ＬＥＤ２の長寿命化が図れる。その他の効果は、第１の実施の形態と同様である。
【００３０】
【発明の効果】
この発明の照明装置によれば、相対的に演色性が良好でかつ短寿命の白色ＬＥＤの寿命をセンサー装置により長くすることができるので、白色ＬＥＤの長寿命化が図れる。このため、白色ＬＥＤと黄色ＬＥＤの寿命の差をなくすことができるので、白色ＬＥＤと黄色ＬＥＤを単に混合させる場合に比べてランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。
さらにランプユニットの電源が蓄電池であるため、太陽電池を利用した照明システムが可能となる。しかも蓄電池に蓄える充電用電源が太陽電池であるので、省エネルギーに寄与できる。
【００３１】
請求項２では、タイマー装置により人通りの多い時間帯は両ＬＥＤをフル点灯させることができる。また、人の通らない時間帯は白色ＬＥＤが消灯することで、白色ＬＥＤの寿命を長くすることができる。したがって、ランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。さらに太陽電池を利用した照明システムが可能となり、省エネルギーに寄与できる。
【００３２】
請求項３では、黄色ＬＥＤの点灯状態で、白色ＬＥＤのみ調光制御にて点灯させるので、白色ＬＥＤの消費電力が低下し寿命を長くすることができる。この場合、両ＬＥＤは点灯状態であるが、白色ＬＥＤのみデューティー制御するあるいは入力電流を絞ることにより調光することで白色ＬＥＤの長寿命化が図れる。したがって、ランプ交換回数を半分に減らせ、ランプ交換にかかる手間やコストを低減することができる。また、相対的に演色性が悪く長寿命である黄色ＬＥＤだけで照明する場合に比べて演色性の改善を図ることができる。さらに太陽電池を利用した照明システムが可能となり、省エネルギーに寄与できる。
【図面の簡単な説明】
【図１】この発明の第１の実施の形態の照明装置の概念図である。
【図２】この発明の第１の実施の形態の照明装置のランプユニットの斜視図である。
【図３】この発明の第２の実施の形態の照明装置の概念図である。
【図４】この発明の第３の実施の形態の照明装置の概念図である。
【符号の説明】
１  ランプユニット
２  白色ＬＥＤ
３  黄色ＬＥＤ
４，１１，１４  コントロールユニット
５  センサー装置
６  鉛蓄電池
７  太陽電池
１０  タイマー装置
【図１】
0003961165.tif 000002
【図２】
0003961165.tif 000003
【図３】
0003961165.tif 000004
【図４】
0003961165.tif 000005